【手続補正書】
【提出日】平成16年4月20日(2004.4.20)
【手続補正１】
【補正対象書類名】明細書
【補正対象項目名】特許請求の範囲
【補正方法】変更
【補正の内容】
【特許請求の範囲】
【請求項１】
動画像を構成する複数のフレーム画像から１つ以上のフレーム画像を抽出する抽出手段と、
抽出された前記フレーム画像と当該フレーム画像に対して時間的に前後にある所定数のフレーム画像との表示を制御する表示制御手段と、
前記表示制御手段により表示が制御された複数のフレーム画像から所望のフレーム画像を選択し指示する指示手段と
を有することを特徴とする画像検出装置。
【請求項２】
前記表示制御手段は、前記動画像の表示速度に比例した数のフレーム画像の表示を制御することを特徴とする請求項１に記載の画像検出装置。
【請求項３】
前記抽出手段は、予め決められたパターンに基づいて、１つ以上の前記フレーム画像を抽出することができるものであることを特徴とする請求項１に記載の画像検出装置。
【請求項４】
前記パターンは、前記指示手段を通じて過去に指示されたフレーム画像の位置情報に応じたものであることを特徴とする請求項３記載の画像検出装置。
【請求項５】
動画像を構成する複数のフレーム画像から１つ以上のフレーム画像を抽出する抽出工程と、
抽出された前記フレーム画像と当該フレーム画像に対して時間的に前後にある所定数のフレーム画像との表示を制御する表示制御工程と、
前記表示制御工程において表示が制御された複数のフレーム画像から所望のフレーム画像を選択し指示する指示工程と
を有することを特徴とする画像検出方法。
【請求項６】
前記表示制御工程においては、前記動画像の表示速度に比例した数のフレーム画像の表示を制御することを特徴とする請求項５に記載の画像検出方法。
【請求項７】
前記抽出工程においては、予め決められたパターンに基づいて、１つ以上の前記フレーム画像を抽出することを特徴とする請求項５に記載の画像検出方法。
【請求項８】
前記パターンは、前記指示工程において過去に指示されたフレーム画像の位置情報に応じたものであることを特徴とする請求項７記載の画像検出方法。
【請求項９】
動画像を構成する複数のフレーム画像から目的とするフレーム画像を検出するようにする画像検出装置に搭載され、当該画像検出装置の各部を制御するコンピュータに、
前記動画像を構成する前記複数のフレーム画像から１つ以上のフレーム画像を抽出する抽出ステップと、
抽出された前記フレーム画像と当該フレーム画像に対して時間的に前後にある所定数のフレーム画像との表示を制御する表示制御ステップと、
前記表示制御ステップにより、表示が制御された複数のフレーム画像から所望のフレーム画像の選択と指示とを受け付けるようにする指示ステップと
を実行させるための画像検出プログラム。
【請求項１０】
前記表示制御ステップにおいては、前記動画像の表示速度に比例した数のフレーム画像の表示を制御することを特徴とする請求項９に記載の画像検出プログラム。
【請求項１１】
前記抽出ステップにおいては、予め決められたパターンに基づいて、１つ以上の前記フレーム画像を抽出することを特徴とする請求項９に記載の画像検出プログラム。
【請求項１２】
前記パターンは、前記指示ステップにおいて過去に指示されたフレーム画像の位置情報に応じたものであることを特徴とする請求項１１記載の画像検出プログラム。
【手続補正２】
【補正対象書類名】明細書
【補正対象項目名】００１５
【補正方法】削除
【補正の内容】
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２４
【補正方法】変更
【補正の内容】
【００２４】
そして、この実施の形態において、記録再生装置１００は、ＢＳ／ＣＳチューナー３００、地上波テレビチューナー４００からの放送信号、ビデオカメラ５００からの収録情報など、画像情報を含むデジタル信号、あるいは、アナログ信号の供給を受けて、これをデジタル信号として自機に内蔵されている記録媒体（ハードディスク）に記録することができるものである。


【手続補正８】
【補正対象書類名】明細書
【補正対象項目名】００２６
【補正方法】変更
【補正の内容】
【００２６】
なお、ここでは、主に画像情報を記録し、再生する場合を説明した。しかし、テレビ放送番組を提供する放送信号やビデオカメラ５００からの収録情報には、画像情報の他、音声情報も含んでおり、記録再生装置１００は、画像情報のほか、画像情報とともに供給される音声情報についても記録媒体に記録し、また、記録したものを再生することができるものである。なお、再生される音声情報については、図示しないが、例えば、モニタ受像機に設けられたスピーカなどに供給されることになる。


【手続補正９】
【補正対象書類名】明細書
【補正対象項目名】００３１
【補正方法】変更
【補正の内容】
【００３１】
また、図２に示すように、ホストバスには、赤外線のリモコン信号の受光部４４が接続されている。受光部４４は、リモコン１５０からの赤外線のリモコン信号を受光し、これを電気信号に変換して、ＣＰＵ４０に供給することができるようにされている。


【手続補正１０】
【補正対象書類名】明細書
【補正対象項目名】００４８
【補正方法】変更
【補正の内容】
【００４８】
ポスト映像信号処理回路２４は、ＭＰＥＧビデオデコーダ２３からの画像データと、後述するプリ映像信号処理回路１３からの画像データとの切り換えや、画面合成やフィルタ処理などを行い、処理後の画像データを合成回路２６に供給する。


【手続補正１１】
【補正対象書類名】明細書
【補正対象項目名】００５１
【補正方法】変更
【補正の内容】
【００５１】
一方、ポスト音声信号処理回路２０では、ＭＰＥＧオーディオデコーダ１９からの音声データと、プリ音声信号処理回路６からの音声データとの切り換えや、フィルタ処理、フェード処理、話速変換処理等を行い、処理後の音声データを音声Ｄ／Ａ変換器２１に供給する。音声Ｄ／Ａ変換器２１は、これに供給された音声データをアナログ音声信号に変換し、これをアナログ音声出力端子２２を通じて出力する。


【手続補正１２】
【補正対象書類名】明細書
【補正対象項目名】００６１
【補正方法】変更
【補正の内容】
【００６１】
ＹＣ分離回路９は、これに供給されるアナログコンポジット画像信号（Ｃｐｓ）を輝度信号Ｙと色差信号Ｃとに分離し（いわゆるＹＣ分離し）、これらをセレクタ１１に供給する。このセレクタ１１には、アナログ画像入力端子１０を通じて供給されるアナログセパレート画像信号（Ｓ）も供給される。


【手続補正１３】
【補正対象書類名】明細書
【補正対象項目名】００６２
【補正方法】変更
【補正の内容】
【００６２】
セレクタ１１は、ＣＰＵ４０からの指示に従い、ＹＣ分離回路９からの画像信号と、アナログ画像入力端子１０を通じてセパレート画像信号として供給を受けた画像信号とのいずれをＮＴＳＣ（National Television System Committee）デコーダ１２に供給するかを切り換える。


【手続補正１４】
【補正対象書類名】明細書
【補正対象項目名】００６９
【補正方法】変更
【補正の内容】
【００６９】
多重／分離回路１６は、記録時においては、ＭＰＥＧビデオエンコーダ１４からの画像ＥＳとＭＰＥＧオーディオエンコーダ７からの音声ＥＳと各種制御信号との多重化処理を行う。つまり、記録時における多重／分離回路１６は、これに入力されたＭＰＥＧ画像ＥＳと、ＭＰＥＧ音声ＥＳとを、各種制御信号と合わせ、多重化処理を施し、例えばＭＰＥＧシステムのＴＳ信号を生成する。ここで生成されたＴＳ信号が、バッファ制御回路１７を通じて記録媒体１８に記録される。


【手続補正１５】
【補正対象書類名】明細書
【補正対象項目名】００７０
【補正方法】変更
【補正の内容】
【００７０】
また、図２に示すように、プリ音声信号処理回路６からの音声データは、ＭＰＥＧオーディオエンコーダ７に供給されると共に、ポスト音声信号処理回路２０にも供給され、また、プリ映像信号処理回路１３からの画像データは、ＭＰＥＧビデオエンコーダ１４に供給されると共に、ポスト映像信号処理回路２４にも供給するようにされている。


【手続補正１６】
【補正対象書類名】明細書
【補正対象項目名】００９８
【補正方法】変更
【補正の内容】
【００９８】
そこで、チャプタマークを１つでも付けるようにした後においては、リモコン１５０の所定の操作キーを操作することにより、あるいは、所定のメニューを表示させ、そのメニューから例えば「マーク編集」などと呼ばれる項目を選択することにより、チャプタマークについての操作を受け付けるモードに記録再生装置１００を遷移させるようにする。この場合、表示画面２０１に表示されている表示画像２０１Ｇは一時停止するようにされる。つまり、静止画像となるようにされる。


【手続補正１７】
【補正対象書類名】明細書
【補正対象項目名】０１１０
【補正方法】変更
【補正の内容】
【０１１０】
さらに、左矢印キー１５２Ｌを押下操作すると、図５Ｂに示すように、縮小静止画像が表示画面２０１の右側方向にスクロールするようにされ、図５Ａの状態にあるときには表示対象となっていなかった画像であって、縮小静止画像Ｓ１の１フレーム前の画像（Ｓ１−１）が縮小静止画像Ｓ１として表示するようにされる。この時点において、チャプタマークが付けられている画像は、図５Ｂにおいて矢印が示すように、縮小静止画像Ｓ４として表示されている画像である。


【手続補正１８】
【補正対象書類名】明細書
【補正対象項目名】０２４５
【補正方法】変更
【補正の内容】
【０２４５】
このようにして、複数の異なる再生点から再生され、異なるサブ画像表示エリアに表示される画像を用いて、使用者は、編集候補点とする目的のシーンの画像を迅速に検出し、編集候補点として記録媒体１８に登録することができるようにされる。


【手続補正１９】
【補正対象書類名】明細書
【補正対象項目名】０２５０
【補正方法】変更
【補正の内容】
【０２５０】
ステップＳ２０５の判断処理において、ステップＳ２０４において受け付けた使用者からの入力が、再生の終了指示であると判断した場合には、この図１９に示す処理を終了し、例えば、使用者からの入力待ち状態となる。ステップＳ２０５の判断処理において、ステップＳ２０４において受け付けた使用者からの入力が、再生の終了指示ではないと判断した場合には、ＣＰＵ４０は、使用者からの入力は、再生開始入力か否かを判断する（ステップＳ２０６）


【手続補正２０】
【補正対象書類名】明細書
【補正対象項目名】０３２５
【補正方法】変更
【補正の内容】
【０３２５】
そして、ポスト映像信号処理回路２４からの画像と、表示画像形成回路５０からの１つ以上のサブ画像表示エリアに表示するようにされる画像とが合成回路２６において合成され、ＮＴＳＣエンコーダ２７を通じて出力するようにされる。


【手続補正２１】
【補正対象書類名】明細書
【補正対象項目名】０３４５
【補正方法】変更
【補正の内容】
【０３４５】
そして、ポスト映像信号処理回路２４からの画像と、表示画像形成回路５０からの画像とが合成回路２６において合成され、ＮＴＳＣエンコーダ２７を通じて出力するようにされる。


【手続補正２２】
【補正対象書類名】図面
【補正対象項目名】図２５
【補正方法】変更
【補正の内容】
【図２５】
2004072132.tif 000001
【手続補正２３】
【補正対象書類名】図面
【補正対象項目名】図３０
【補正方法】変更
【補正の内容】
【図３０】
2004072132.tif 000002
【手続補正２４】
【補正対象書類名】図面
【補正対象項目名】図３１
【補正方法】変更
【補正の内容】
【図３１】
2004072132.tif 000003